(57)【要約】【課題】水田作業機において、機体の位置を検出する測位部を備える場合、測位部による機体の位置の検出精度を向上させる。【解決手段】機体３０に備えられた支持フレームに、機体３０の位置を検出する測位部４１が支持される。側面視で、後輪２の前部から鉛直方向の上側に延出された前仮想線Ｌ１と、後輪２の後部から鉛直方向の上側に延出された後仮想線Ｌ２との間に、測位部４１が位置する。平面視で、右及び左の後輪２の間に、測位部４１が位置する。【選択図】図４
2018174846.tif 000002
【特許請求の範囲】
【請求項１】
機体の前部に操向操作自在な右及び左の前輪が支持され、前記機体の後部に右及び左の後輪が支持され、
前記機体の後部から後側に延出されたリンク機構に作業装置が支持されて、
前記機体に備えられた支持フレームに、前記機体の位置を検出する測位部が支持され、
側面視で、前記後輪の前部から鉛直方向の上側に延出された前仮想線と、前記後輪の後部から鉛直方向の上側に延出された後仮想線との間に、前記測位部が位置し、
平面視で、右及び左の前記後輪の間に、前記測位部が位置している水田作業機。
【請求項２】
右及び左の前記後輪を支持する後車軸ケースが、前記機体の後部に備えられて、
側面視で、前記後車軸ケースから鉛直方向の上側に延出された仮想線に、前記測位部が位置している請求項１に記載の水田作業機。
【請求項３】
前記作業装置が、田面に苗を植え付ける苗植付装置であり、
予備苗のせ台を支持する右の予備苗のせ台フレームが、前記機体の後部の右部に備えられ、予備苗のせ台を支持する左の予備苗のせ台フレームが、前記機体の後部の左部に備えられ、
右及び左の前記予備苗のせ台フレームに亘って前記支持フレームが連結されて、前記支持フレームに前記測位部が支持されている請求項１又は２に記載の水田作業機。
【請求項４】
人為的に操作されることにより前記前輪を操向操作する操縦ハンドルが、前記機体の前部に備えられて、
複数の予備苗のせ台が前後方向に沿って一列状に並ぶ展開状態と、複数の予備苗のせ台が積み重ねられるように折り畳まれる格納状態とに切換自在な予備苗支持機構が、前記機体の前部で、且つ、側面視で前記操縦ハンドルよりも低い位置に備えられている請求項３に記載の水田作業機。
【発明の詳細な説明】
【技術分野】
【０００１】
本発明は、苗植付装置や播種装置等の作業装置を機体の後部に支持した水田作業機に関する。
【背景技術】
【０００２】
水田作業機の一例である乗用型田植機では、操向操作自在な前輪及び後輪により機体が支持され、機体の後部から後側に延出されたリンク機構に、苗植付装置（作業装置に相当）が支持されたものが多くある。
【０００３】
近年では乗用型田植機において、ＧＰＳ（Ｇｌｏｂａｌ  Ｐｏｓｉｔｉｏｎｉｎｇ  Ｓｙｓｔｅｍ）が代表として挙げられる衛星測位システム（ＧＮＳＳ：Ｇｌｏｂａｌ  Ｎａｖｉｇａｔｉｏｎ  Ｓａｔｅｌｉｔｅ  Ｓｙｓｔｅｍ）により、機体の位置を検出して、作業走行に利用したものが考えられている。
この場合、特許文献１に開示されているように、機体の位置を検出する測位部を、機体の前部に備えたものが多くある。
【先行技術文献】
【特許文献】
【０００４】
【特許文献１】特開２０１６−２３９７３号公報
【発明の概要】
【発明が解決しようとする課題】
【０００５】
前述のような前輪及び後輪、作業装置を備えた水田作業機において、機体の向きを変更する為に、例えば前輪を右に操向操作すると、機体の前部が右に移動して、これに機体の後部が追従するというような状態となる。
【０００６】
これにより、前輪の操向操作に伴って機体の前部が右又は左に移動すると、機体の前部と一緒に測位部も右又は左に移動するのであり、前輪の操向操作の度に、測位部が機体の前部と一緒に右又は左に移動する状態となる。このような状態であると、測位部による機体の位置の検出精度という面で不利な状態となるので、改善の余地がある。
本発明は、水田作業機において、機体の位置を検出する測位部を備える場合、測位部による機体の位置の検出精度を向上させることを目的としている。
【課題を解決するための手段】
【０００７】
本発明の水田作業機は、
機体の前部に操向操作自在な右及び左の前輪が支持され、前記機体の後部に右及び左の後輪が支持され、
前記機体の後部から後側に延出されたリンク機構に作業装置が支持されて、
前記機体に備えられた支持フレームに、前記機体の位置を検出する測位部が支持され、
側面視で、前記後輪の前部から鉛直方向の上側に延出された前仮想線と、前記後輪の後部から鉛直方向の上側に延出された後仮想線との間に、前記測位部が位置し、
平面視で、右及び左の前記後輪の間に、前記測位部が位置している。
【０００８】
機体の前部の右及び左の前輪、機体の後部の右及び左の後輪、機体の後部から後側に延出されたリンク機構に支持された作業装置を備えた水田作業機において、機体の前端部から作業装置の後端部までが水田作業機の全体となる。
【０００９】
本発明によると、側面視で、後輪の前部から鉛直方向の上側に延出された前仮想線と、後輪の後部から鉛直方向の上側に延出された後仮想線との間に、測位部が配置されているので、測位部が水田作業機の全体の前後中央付近に位置することになる。
これにより、前輪の操向操作の際に、測位部が機体の前部と一緒に右又は左に移動する状態が生じることはなく、前輪の操向操作が行われる際の測位部の挙動（移動）が、穏やかなものとなる。
【００１０】
本発明によると、平面視で、右及び左の後輪の間に測位部が配置されているので、前述のように、測位部が水田作業機の全体の前後中央付近に位置することに加えて、測位部が水田作業機の全体の左右中央側に位置することになる。これにより、水田作業機の全体の中心付近に、測位部が位置することになる。
【００１１】
以上のように、本発明によると、前輪の操向操作が行われる際の測位部の挙動（移動）が穏やかなものになる点、及び、水田作業機の全体の中心付近に測位部が位置する点により、測位部による機体の位置の検出精度を向上させることができる。
【００１２】
本発明において、
右及び左の前記後輪を支持する後車軸ケースが、前記機体の後部に備えられて、
側面視で、前記後車軸ケースから鉛直方向の上側に延出された仮想線に、前記測位部が位置していると好適である。
【００１３】
水田作業機では、機体の後部に後車軸ケースが支持され、右及び左の後輪が後車軸ケースに支持されるように構成されたものが多くある。
本発明によると、後輪の回転中心に近い位置の上側の位置に測位部が配置されるのであり、水田作業機の全体の中心にさらに近い位置に、測位部が位置することになって、測位部による機体の位置の検出精度を向上させることができる。
【００１４】
本発明において、
前記作業装置が、田面に苗を植え付ける苗植付装置であり、
予備苗のせ台を支持する右の予備苗のせ台フレームが、前記機体の後部の右部に備えられ、予備苗のせ台を支持する左の予備苗のせ台フレームが、前記機体の後部の左部に備えられ、
右及び左の前記予備苗のせ台フレームに亘って前記支持フレームが連結されて、前記支持フレームに前記測位部が支持されていると好適である。
【００１５】
苗植付装置を備えた水田作業機では、苗の植え付けに伴って苗が消費されるので、苗植付装置に苗を補給する必要があり、補給用の苗を載置する為の予備苗のせ台が機体に備えられる。
【００１６】
本発明によると、予備苗のせ台を支持する既存の構造といってよい右及び左の予備苗のせ台フレームを、機体の後部の右部及び左部に備えることにより、右及び左の予備苗のせ台フレームを測位部の支持構造に兼用することができて、構造の簡素化の面で有利なものとなる。
【００１７】
この場合、予備苗のせ台フレームは背の高いものであるので、本発明のように、予備苗のせ台フレームを機体の後部に備えることにより、機体に搭乗する作業者にとって、予備苗のせ台フレームが前方視界の妨げになることはなく、前方視界を良好なものとすることができる。
【００１８】
本発明において、
人為的に操作されることにより前記前輪を操向操作する操縦ハンドルが、前記機体の前部に備えられて、
複数の予備苗のせ台が前後方向に沿って一列状に並ぶ展開状態と、複数の予備苗のせ台が積み重ねられるように折り畳まれる格納状態とに切換自在な予備苗支持機構が、前記機体の前部で、且つ、側面視で前記操縦ハンドルよりも低い位置に備えられていると好適である。
【００１９】
前述のように、補給用の苗を機体に搭載する場合、多くの苗を機体に搭載したいという要望がある。
本発明によると、機体の後部の右及び左の予備苗のせ台フレームの予備苗のせ台に加えて、機体の前部の予備苗支持機構にも苗を載置することができるので、機体に多くの苗を搭載することができて、作業性を向上させることができる。
予備苗支持機構を展開状態として、予備苗支持機構の予備苗のせ台に苗を載置すればよく、予備苗支持機構の予備苗のせ台に苗を載置しない場合は、予備苗支持機構を格納状態とすればよい。
【００２０】
本発明によると、予備苗支持機構が側面視で操縦ハンドルよりも低い位置に備えられているので、機体に搭乗する作業者が前方を目視する場合、作業者の視界に予備苗支持機構が入り難くなる。これにより、機体に搭乗する作業者にとって、予備苗支持機構が前方視界の妨げになることはなく、前方視界を良好なものとすることができる。
【図面の簡単な説明】
【００２１】
【図１】乗用型田植機の全体側面図である。
【図２】乗用型田植機の全体平面図である。
【図３】機体の後部の予備苗のせ台フレーム及び計測装置の付近の斜視図である。
【図４】計測装置の配置状態を示す側面図である。
【図５】計測装置の配置状態を示す平面図である。
【図６】作業走行ライン及び旋回ラインの設定状態を示す平面図である。
【図７】ハンドルポスト及びギヤケース、パワーステアリング装置の連結前の状態を示す縦断側面図である。
【図８】ハンドルポスト及びギヤケース、パワーステアリング装置の連結後の状態を示す縦断側面図である。
【図９】図８におけるＩＸ−ＩＸ方向から視た断面図である。
【図１０】発明の実施の第２別形態における乗用型田植機の全体側面図である。
【図１１】発明の実施の第３別形態における乗用型田植機の全体側面図である。
【発明を実施するための形態】
【００２２】
本発明の実施形態において、水田で作業を行う水田作業車の一例である乗用型田植機が示されている。
本発明の実施形態における前後方向及び左右方向は、特段の説明がない限り、以下のように記載している。機体３０の走行時における前進側の進行方向が「前」であり、後進側の進行方向が「後」である。前後方向での前向き姿勢を基準として右側に相当する方向が「右」であり、左側に相当する方向が「左」である。
【００２３】
（乗用型田植機の全体構成）
図１及び図２に示すように、乗用型田植機は、右及び左の前輪１と右及び左の後輪２とを備えた機体３０、機体３０の後部から後側に延出されたリンク機構３及びリンク機構３を昇降駆動する油圧シリンダ４、リンク機構３の後部に支持された８条型式の苗植付装置５（作業装置に相当）、機体３０の後部に支持された施肥装置１２等を備えている。
【００２４】
図１及び図２に示すように、機体３０の後部に運転座席１８が備えられて、前輪１を操向操作する操縦ハンドル１９が、機体３０の前部に備えられている。
運転座席１８の右側に上下向きの支柱２０が備えられて、支柱２０の上部にアームレスト２１が支持されている。アームレスト２１は、図１及び図２に示すように前側に延出された使用姿勢、及び運転座席１８の背もたれ部に沿った上下向きの格納姿勢に、変更自在である。
【００２５】
（苗植付装置）
図１及び図２に示すように、苗植付装置５は、左右方向に所定間隔を置いて配置された植付伝動ケース６、植付伝動ケース６の後部の右部及び左部に回転自在に支持された回転ケース７、回転ケース７の両端に備えられた一対の植付アーム８、フロート９、苗のせ台１０、苗のせ台１０に設けられた縦送り機構１１等を備えている。
【００２６】
図１及び図２に示すように、苗のせ台１０が左右に往復横送り駆動されるのに伴って、回転ケース７が回転駆動され、苗のせ台１０の下部から植付アーム８が交互に苗を取り出して田面に植え付ける。苗のせ台１０が往復横送り駆動の右端部又は左端部に達すると、縦送り機構１１により苗のせ台１０の苗が下側に送られる。
【００２７】
（施肥装置）
図１及び図２に示すように、機体３０において運転座席１８の後側に、肥料を貯留するホッパー１３、及び、２つの植付条に対応した４個の繰り出し部１４が備えられており、運転座席１８の下側にブロア１５が備えられている。フロート９に作溝器１６が連結されて、８個の作溝器１６が備えられており、繰り出し部１４と作溝器１６とに亘って８本のホース１７が接続されている。
【００２８】
図１及び図２に示すように、ホッパー１３から肥料が所定量ずつ繰り出し部１４により繰り出され、ブロア１５の送風により肥料がホース１７を通って作溝器１６に供給され、作溝器１６を介して肥料が田面に供給される。
【００２９】
（機体における運転座席の付近の構造）
図１及び図３に示すように、機体３０において、前後方向に２本の機体フレーム２２が備えられ、機体フレーム２２の後部に壁状の支持フレーム２３が連結されており、支持フレーム２３の後部にリンク機構３が上下揺動自在に支持されている。
【００３０】
図１及び図３に示すように、機体フレーム２２の後部に、左右方向に向く支持フレーム２４が連結され、支持フレーム２３の上部に、左右方向に向く支持フレーム２５が連結されている。運転座席１８に着座する作業者の足元に位置するフロア２６が、機体フレーム２２及び支持フレーム２４等に支持されている。
【００３１】
図１，２，３に示すように、フロア２６の後部が後側の上側に延出されて、後部フロア２７が形成されており、後部フロア２７が支持フレーム２５に支持されている。施肥装置１２のホッパー１３及び繰り出し部１４が、運転座席１８の後側で後部フロア２７の上側に支持されている。
【００３２】
（機体の後部の予備苗のせ台）
図１及び図３に示すように、第１横フレーム２８が備えられて、第１横フレーム２８の下部２８ａが支持フレーム２４の右及び左の横外側部に連結されており、第１横フレーム２８が後部フロア２７の右及び左の横外側を通って上側に延出されている。第１横フレーム２８が折り曲げられて、側面視で後側に向く凹部２８ｂ及び前側に出る凸部２８ｃが、第１横フレーム２８に備えられている。
【００３３】
図１及び図３に示すように、第１横フレーム２８の後側に第２横フレーム２９が備えられて、第２横フレーム２９の下部２９ａが支持フレーム２３に連結されている。第２横フレーム２９の中間部２９ｂが、支持フレーム２５に沿うように配置されて支持フレーム２５に連結されており、第２横フレーム２９が後部フロア２７の右及び左の横外側を通って上側に延出されている。
【００３４】
図１及び図３に示すように、第１横フレーム２８の上部２８ｄと第２横フレーム２９の上部２９ｃとに亘って、フレーム３１が連結されている。図１，２，３に示すように、右及び左の第２横フレーム２９に亘って、後フレーム３２が連結されており、後フレーム３２がホッパー１３の後側を左右方向に沿って配置されている。
【００３５】
図１，２，３に示すように、右及び左の予備苗のせ台フレーム３３が備えられており、予備苗のせ台フレーム３３は、上下向きの前及び後の縦部３３ａと、前及び後の縦部３３ａの上部に亘って接続される横部３３ｂとを備えている。
【００３６】
図１及び図３に示すように、予備苗のせ台フレーム３３の縦部３３ａの下部が、第１横フレーム２８の上部２８ｄ、及び第２横フレーム２９の上部２９ｃに挿入されて連結されている。図１，２，３に示すように、右及び左の予備苗のせ台フレーム３３の上部の後部に亘って、支持フレーム３５が連結されている。
【００３７】
図１，２，３に示すように、予備苗のせ台フレーム３３の縦部３３ａに、複数の予備苗のせ台３４が上下方向に沿って所定間隔を置いて支持されており、予備苗のせ台３４が予備苗のせ台フレーム３３の縦部３３ａから外向きに延出されている。
予備苗のせ台３４は、図１，２，３に示すように、外向きに延出された使用姿勢と、予備苗のせ台フレーム３３の縦部３３ａに沿った上向きの格納姿勢に操作自在であり、使用姿勢において予備苗のせ台３４に苗を載置する。
【００３８】
（機体の前部の予備苗支持機構）
図１及び図２に示すように、機体３０の前部の右部及び左部に、予備苗支持機構３６が備えられている。
【００３９】
図１及び図２に示すように、機体３０の前部に支持フレーム３７が連結され、支持フレーム３７が、フロア２６の下側を横外側に延出され、フロア２６の右及び左の横外側を上側に延出されている。支持フレーム３７の上部に予備苗のせ台３８が連結されており、予備苗のせ台３８の前部の横軸芯Ｐ１周りに、予備苗のせ台３９が上下に揺動自在に接続され、予備苗のせ台３８の後部の横軸芯Ｐ２周りに、予備苗のせ台４０が上下に揺動自在に接続されている。
【００４０】
図１及び図２に示す状態は、予備苗支持機構３６において、予備苗のせ台３８，３９，４０が前後方向に沿って一列状に並ぶ展開状態に設定した状態である。この展開状態において予備苗のせ台３８，３９，４０に苗を載置する。
【００４１】
図１及び図２に示すように、予備苗のせ台３９の前部に、予備苗のせ台３９の長手方向（前後方向）にスライド自在な支持部３９ａが備えられている。図１に示す状態は、予備苗のせ台３９の支持部３９ａを前側に引き出した状態であり、予備苗のせ台３９において苗の載置領域を長くすることができる。予備苗のせ台３９の支持部３９ａを使用しない場合、図２に示すように、予備苗のせ台３９の支持部３９ａを予備苗のせ台３９の内部に入れておく。
【００４２】
図１及び図２に示すように、予備苗のせ台４０の後部に、予備苗のせ台４０の長手方向（前後方向）にスライド自在な支持部４０ａが備えられている。図１に示す状態は、予備苗のせ台４０の支持部４０ａを後側に引き出した状態であり、予備苗のせ台４０において苗の載置領域を長くすることができる。
【００４３】
この場合、図１に示すように、予備苗のせ台４０の支持部４０ａが、第１横フレーム２８の凹部２８ｂ（図３参照）に入る状態となるのであり、第１横フレーム２８と干渉することなく、予備苗のせ台４０の支持部４０ａを後側に引き出すことができる。予備苗のせ台４０の支持部４０ａを使用しない場合、図２に示すように、予備苗のせ台４０の支持部４０ａを予備苗のせ台４０の内部に入れておく。
【００４４】
予備苗支持機構３６に苗を載置しない場合、予備苗のせ台３９，４０の支持部３９ａ，４０ａを予備苗のせ台３９，４０の内部に入れて、予備苗のせ台３９，４０を横軸芯Ｐ１，Ｐ２周りに後側及び前側に揺動操作し、予備苗のせ台３８，３９，４０が積み重ねられるように折り畳まれる格納状態に切り換える。
【００４５】
前述のように、予備苗支持機構３６を格納状態に切り換えると、運転座席１８の横外側が開放されるので、作業者は運転座席１８の横外側から機体３０に乗降する。この場合、第１横フレーム２８の凸部２８ｃ（図３参照）を、乗降の際の手摺りとして持つことができる。
図１及び図２に示すように、予備苗支持機構３６の展開状態及び格納状態において、予備苗支持機構３６が側面視で操縦ハンドル１９よりも低い位置に備えられている。
【００４６】
（機体の位置及び機体の方位の検出の構成）
図１，２，３に示すように、支持フレーム３５において、平面視で機体３０の左右中央ＣＬに位置する部分に、支持板３５ａが連結されて、支持板３５ａに計測装置４１（測位部に相当）が取り付けられている。計測装置４１には、衛星測位システムにより位置情報を取得する受信装置（図示せず）、機体３０の傾き（ピッチ角、ロール角）を検出する慣性計測装置（図示せず）が備えられており、計測装置４１は機体３０の位置を示す測位データを出力する。
【００４７】
図１，４，５に示すように、機体フレーム２２の後部の下部に、後車軸ケース４３が支持されている。後車軸ケース４３は左右方向に沿って配置され、後車軸ケース４３の右端部及び左端部に、ギヤケース４３ａが連結されて後側の斜め下向きに延出されており、ギヤケース４３ａに後輪２が支持されている。
【００４８】
図１に示すように、支持フレーム３５は、後車軸ケース４３の略真上に位置している。これにより図４に示すように、側面視で、後輪２の前部から鉛直方向の上側に延出された前仮想線Ｌ１と、後輪２の後部から鉛直方向の上側に延出された後仮想線Ｌ２とを設定した場合、側面視で前仮想線Ｌ１と後仮想線Ｌ２との間に、計測装置４１が位置している。
さらに側面視で、後車軸ケース４３から鉛直方向の上側に延出された仮想線Ｌ３に、計測装置４１が位置している。
図５に示すように平面視で、右及び左の後輪２の間に、計測装置４１が位置しており、平面視で、機体３０の左右中央ＣＬに、計測装置４１が位置している。
【００４９】
図４及び図５に示すように、後車軸ケース４３において、平面視で機体３０の左右中央ＣＬに位置する部分に、慣性情報を計測する慣性計測装置４２が取り付けられており、平面視で、計測装置４１と慣性計測装置４２とが重複するように配置されている。慣性計測装置４２及び計測装置４１の慣性計測は、ＩＭＵ（Ｉｎｅｒｔｉａｌ  Ｍｅａｓｕｒｅｍｅｎｔ  Ｕｎｉｔ）により構成されている。
【００５０】
衛星測位システム（ＧＮＳＳ：Ｇｌｏｂａｌ  Ｎａｖｉｇａｔｉｏｎ  Ｓａｔｅｌｉｔｅ  Ｓｙｓｔｅｍ）には、代表的なものとしてＧＰＳ（Ｇｌｏｂａｌ  Ｐｏｓｉｔｉｏｎｉｎｇ  Ｓｙｓｔｅｍ）が挙げられる。ＧＰＳは、地球の上空を周回する複数のＧＰＳ衛星や、ＧＰＳ衛星の追跡と管制を行う管制局や、測位を行う対象（機体３０）が備える受信装置を使用して、計測装置４１の受信装置の位置を計測するものである。
【００５１】
慣性計測装置４２は、機体３０のヨー角度（機体３０の旋回角度）の角速度を検出可能なジャイロセンサー（図示せず）、及び、互いに直交する３軸方向の加速度を検出する加速度センサー（図示せず）を備えている。慣性計測装置４２により計測される慣性情報には、ジャイロセンサーにより検出される方位変化情報と、加速度センサーにより検出される位置変化情報とが含まれている。
これにより、計測装置４１及び慣性計測装置４２によって、機体３０の位置及び機体３０の方位が検出される。
【００５２】
（作業走行ライン及び旋回ラインの設定）
機体３０に備えられた制御装置（図示せず）において、以下に記載のように、作業走行ラインＬ０１〜Ｌ０７及び旋回ラインＬＬ１〜ＬＬ６の設定が行われる。
又は、外部の制御装置（図示せず）において、以下に記載のように、作業走行ラインＬ０１〜Ｌ０７及び旋回ラインＬＬ１〜ＬＬ６の設定が行われ、設定された作業走行ラインＬ０１〜Ｌ０７及び旋回ラインＬＬ１〜ＬＬ６を、機体３０に備えられた制御装置が取得する。
【００５３】
図６に示すように、例えば畦Ｂ１，Ｂ２，Ｂ３，Ｂ４を備えた水田において、畦Ｂ１〜Ｂ４の畦際ラインＢ１１，Ｂ２１，Ｂ３１，Ｂ４１の位置データに基づいて、畦際ラインＢ１１，Ｂ２１から機体３０（苗植付装置５）の横幅だけ水田の中央側の位置に、畦際ラインＢ１１，Ｂ２１に沿って枕地ラインＬＡ１，ＬＡ２が設定される。畦際ラインＢ３１，Ｂ４１から機体３０（苗植付装置５）の横幅だけ水田の中央側の位置に、畦際ラインＢ３１，Ｂ４１に沿って枕地ラインＬＢ１，ＬＢ２が設定される。
【００５４】
図６に示すように、作業走行ラインＬ０１，Ｌ０２，Ｌ０３，Ｌ０４，Ｌ０５，Ｌ０６，Ｌ０７が、枕地ラインＬＢ１，ＬＢ２と平行で、且つ、所定間隔Ｗ１（機体３０（苗植付装置５）の横幅）を置いて互いに平行となるように、枕地ラインＬＡ１，ＬＡ２に亘って設定され、作業走行ラインＬ０１〜Ｌ０７の向き（図６に示す作業走行ラインＬ０１〜Ｌ０７の矢印参照）が設定される。
【００５５】
図６に示すように、作業走行ラインＬ０１〜Ｌ０７の始端部（一方の端部）が、作業開始位置Ｃ１，Ｃ２，Ｃ３，Ｃ４，Ｃ５，Ｃ６，Ｃ７となる。作業走行ラインＬ０１〜Ｌ０７の終端部（他方の端部）が、作業終了位置Ｄ１，Ｄ２，Ｄ３，Ｄ４，Ｄ５，Ｄ６，Ｄ７となる。
【００５６】
図６に示すように、作業終了位置Ｄ１と作業開始位置Ｃ２とを接続するように、平面視で円状の旋回ラインＬＬ１が水田に設定される。同様に、作業終了位置Ｄ２と作業開始位置Ｃ３、作業終了位置Ｄ３と作業開始位置Ｃ４、作業終了位置Ｄ４と作業開始位置Ｃ５、作業終了位置Ｄ５と作業開始位置Ｃ６、作業終了位置Ｄ６と作業開始位置Ｃ７とを接続するように、平面視で円状の旋回ラインＬＬ２，ＬＬ３，ＬＬ４，ＬＬ５，ＬＬ６が設定される。
【００５７】
（機体の自動走行）
前述の（作業走行ライン及び旋回ラインの設定）に記載のように、作業走行ラインＬ０１〜Ｌ０７、及び旋回ラインＬＬ１〜ＬＬ６が設定された状態において、図６に示すように、機体３０をスタート位置Ｋ１に位置させた状態で、作業走行を開始する。
【００５８】
図６に示すように、作業開始位置Ｃ１〜Ｃ７において、苗植付装置５が田面に下降操作され、苗植付装置５及び施肥装置１２が作動状態に操作される。これと同時に、計測装置４１及び慣性計測装置４２の検出に基づいて、前輪１の自動的な操向操作が行われて、機体３０は作業走行ラインＬ０１〜Ｌ０７に沿って自動的に走行するのであり、苗植付装置５による苗の植え付け及び施肥装置１２による肥料の供給が行われる。
【００５９】
図６に示すように、機体３０が作業終了位置Ｄ１〜Ｄ７に達すると、苗植付装置５及び施肥装置１２が停止状態に操作され、苗植付装置５が田面から上昇操作される。これと同時に、計測装置４１及び慣性計測装置４２の検出に基づいて、前輪１の自動的な操向操作が行われて、機体３０は旋回ラインＬＬ１〜ＬＬ６に沿って自動的に走行する。
【００６０】
図６に示すように、機体３０が作業開始位置Ｃ１〜Ｃ７に達すると、苗植付装置５が田面に下降操作されて、苗植付装置５及び施肥装置１２が作動状態に操作される。前述と同様に、計測装置４１及び慣性計測装置４２の検出に基づいて、前輪１の自動的な操向操作が行われて、機体３０は作業走行ラインＬ０１〜Ｌ０７に沿って自動的に走行するのであり、苗植付装置５による苗の植え付け及び施肥装置１２による肥料の供給が行われる。
【００６１】
（前輪の自動的な操向操作に関する構造）
前項（機体の自動走行）に記載の前輪１の自動的な操向操作に関して、前輪１の自動的な操向操作の構造について、以下に説明する。
【００６２】
図７及び図８に示すように、操縦ハンドル１９を支持するハンドルポスト４４の下部にパワーステアリング装置４５が備えられており、ハンドルポスト４４とパワーステアリング装置４５との間に、ギヤケース４６が備えられている。ギヤケース４６の内部にギヤ機構６４が備えられ、ギヤ機構６４を駆動する電動モータ４９がギヤケース４６に備えられている。電動モータ４９によりギヤ機構６４が駆動され、操縦ハンドル１９及びパワーステアリング装置４５が操作されて、前輪１の自動的な操向操作が行われる。
【００６３】
図７，８，９に示すように、ギヤケース４６は、本体部４７、蓋部４８及び電動モータ４９を備えている。本体部４７の内部にギヤ機構６４を組み込んだ状態、及び、本体部４７及び蓋部４８の連結面にボンド等が塗布された状態で、本体部４７と蓋部４８とが連結される。蓋部４８の下部から出力軸５０が出ている。出力軸５０を囲むように、リング状の連結部５１が蓋部４８の下部に備えられており、半径方向に向く連結孔５１ａが連結部５１に備えられている。
【００６４】
図７，８，９に示すように、電動モータ４９において、本体部４７及び電動モータ４９の連結面にボンド等が塗布された状態で、本体部４７と電動モータ４９とが連結される。
ギヤケース４６をハンドルポスト４４とパワーステアリング装置４５との間に連結する前に、前述のようにギヤケース４６を事前に組み立てておく。
【００６５】
図７及び図９に示すように、リング状の連結部材５２が備えられている。連結部材５２には、中央の上下向きの開口部５２ａ、開口部５２ａの外側に位置する上下向きの連結孔５２ｂ、外周部に半径方向に向けて開口されたネジ孔５２ｃが備えられている。
【００６６】
以上の構造により、図７に示すように、パワーステアリング装置４５の上面部に連結部材５２を当て、ボルト５３を連結部材５２の連結孔５２ｂに入れて、連結部材５２をパワーステアリング装置４５の上面部に連結する。
図７に示すように、操縦ハンドル１９のハンドル軸６５をギヤ機構６４に接続し、ハンドルポスト４４に沿った方向（上下方向）においてボルト５４により、ハンドルポスト４４を、ギヤケース４６（本体部４７）の上面部に連結する。
【００６７】
次に図７，８，９に示すように、ギヤケース４６の出力軸５０を、連結部材５２の開口部５２ａに挿入してパワーステアリング装置４５に接続し、これと同時にギヤケース４６の連結部５１を連結部材５２の外側に被せる。
半径方向からボルト５５を、連結部５１の連結孔５１ａから連結部材５２のネジ孔５２ｃに挿入し締め付けて、ギヤケース４６（連結部５１）をパワーステアリング装置４５（連結部材５２）に連結する。
【００６８】
この場合、先にギヤケース４６（連結部５１）をパワーステアリング装置４５（連結部材５２）に連結し、この後に、ハンドルポスト４４をギヤケース４６（本体部４７）の上面部に連結してもよい。
【００６９】
（発明の実施の第１別形態）
前述の（発明を実施するための形態）において、図４に示すように、計測装置４１を、側面視で前仮想線Ｌ１と仮想線Ｌ３との間、又は、後仮想線Ｌ２と仮想線Ｌ３との間に配置してもよい。
図５に示すように、計測装置４１を、平面視で右の後輪２と機体３０の左右中央ＣＬとの間、又は、左の後輪２と機体３０の左右中央ＣＬとの間に配置してもよい。
前述のように計測装置４１の位置を変更した場合、慣性計測装置４２も同様に、平面視で計測装置４１と慣性計測装置４２とが重複するように位置を変更してもよい。
【００７０】
（発明の実施の第２別形態）
前述の（発明を実施するための形態）（発明の実施の第１別形態）に対して、計測装置４１を、機体３０の後部ではなく機体３０の前部に備える場合、図１０に示すように、計測装置４１を配置すればよい。
【００７１】
図１０に示すように、操縦ハンドル１９の横側にロプスフレーム５６が備えられている。ロプスフレーム５６は、機体３０の前部に連結されて操縦ハンドル１９の右及び左の横外側の近傍を上側に延出される縦部５６ａと、右及び左の縦部５６ａの上部に亘って接続される横部５６ｂとを備えている。
【００７２】
図１０に示すように、ロプスフレーム５６の横部５６ｂの上部に、計測装置４１が取り付けられており、計測装置４１の後面にバックミラー５７が取り付けられている。ロプスフレーム５６の横部５６ｂの下部に、警報部５８が取り付けられている。警報部５８は、作業者に各種の警告を行うものであり、警報ランプ５８ａ及び警報ブザー（図示せず）が備えられている。
この場合、右及び左の予備苗のせ台フレーム３３（予備苗のせ台３４）を、機体３０の後部ではなく、予備苗支持機構３６の上部に連結してもよい。
【００７３】
（発明の実施の第３別形態）
前述の（発明を実施するための形態）（発明の実施の第１別形態）に対して、計測装置４１を、機体３０の後部ではなく機体３０の前部に備える場合、図１１に示すように、計測装置４１を配置すればよい。
【００７４】
図１１に示すように、右及び左の支持フレーム５９が、機体３０の前部に連結されて、操縦ハンドル１９の右及び左の横外側の近傍を上側に延出されており、右及び左の支持フレーム５９の上部に亘って、横フレーム６０が連結されている。日除け６１が、支持フレーム５９に連結されて、後側に延出されている。
【００７５】
図１１に示すように、横フレーム６０の上部に、計測装置４１が取り付けられている。横フレーム６０の下部に、日除け（フード）付きの支持枠６２が連結されており、防水機能を備えたタブレット６３（携帯端末）が、支持枠６２に取り付け及び取り外し自在となっている。タブレット６３を支持枠６２に取り付けた状態で、タブレット６３が日除け６１の下側に位置するので、タブレット６３が目視し易いものとなる。
この場合、右及び左の予備苗のせ台フレーム３３（予備苗のせ台３４）を、機体３０の後部ではなく、予備苗支持機構３６の上部に連結してもよい。
【産業上の利用可能性】
【００７６】
本発明は、乗用型田植機ばかりではなく、作業装置としての播種装置をリンク機構に支持した乗用型直播機にも適用できる、
【符号の説明】
【００７７】
１                前輪
２                後輪
３                リンク機構
５                作業装置、苗植付装置
１９              操縦ハンドル
３０              機体
３３              予備苗のせ台フレーム
３４              予備苗のせ台
３５              支持フレーム
３６              予備苗支持機構
３８，３９，４０  予備苗のせ台
４１              測位部
４３              後車軸ケース
Ｌ１              前仮想線
Ｌ２              後仮想線
Ｌ３              仮想線
【図１】
2018174846.tif 000003
【図２】
2018174846.tif 000004
【図３】
2018174846.tif 000005
【図４】
2018174846.tif 000006
【図５】
2018174846.tif 000007
【図６】
2018174846.tif 000008
【図７】
2018174846.tif 000009
【図８】
2018174846.tif 000010
【図９】
2018174846.tif 000011
【図１０】
2018174846.tif 000012
【図１１】
2018174846.tif 000013